(57)【特許請求の範囲】
【請求項１】
所定の楽曲に対応した発光パターンを作成するためのダウンロード型のアプリケーションソフトウェア（２１）により作成された発光パターンを無線送信可能な制御側送信部（３２）を有する制御装置（３）と、
前記制御側送信部（３２）により無線送信された発光パターンを受信可能な発光側受信部（４１）と、前記発光側受信部（４１）により受信された発光パターンで発光する発光部（４２）と、を有する発光装置（４）と、
所定の音声の検出を指示するための指示信号を無線送信可能な指示信号送信装置（５）と、
を備え、
前記制御装置（３）は、前記指示信号を受信可能な第１の制御側受信部（３３）と、前記所定の音声に対応した発光パターンを記憶した制御側記憶部（３１）と、前記所定の音声を検出可能な制御側音声検出部（３４）と、を更に有しており、
前記第１の制御側受信部（３３）が前記指示信号を受信してから所定時間内に前記制御側音声検出部（３４）が前記所定の音声を検出した場合に、前記制御側送信部（３２）は、前記制御側記憶部（３１）に記憶された発光パターンを前記発光側受信部（４１）に無線送信することを特徴とする発光制御システム（１）。
【請求項２】
所定の楽曲に対応した発光パターンを作成するためのダウンロード型のアプリケーションソフトウェア（２１）により作成された発光パターンを無線送信可能な制御側送信部（３２）を有する制御装置（３）と、
前記制御側送信部（３２）により無線送信された発光パターンを受信可能な発光側受信部（４１）と、前記発光側受信部（４１）により受信された発光パターンで発光する発光部（４２）と、を有する発光装置（４）と、
を備え、
前記制御側送信部（３２）は、所定の音声の検出を指示するための指示信号を前記発光側受信部（４１）に無線送信可能であり、
前記発光装置（４）は、前記所定の音声に対応した発光パターンを記憶した発光側記憶部（４５）と、前記所定の音声を検出可能な発光側音声検出部（４６）と、を更に有しており、
前記発光側受信部（４１）が前記指示信号を受信してから所定時間内に前記発光側音声検出部（４６）が前記所定の音声を検出した場合に、前記発光部（４２）は、前記発光側記憶部（４５）に記憶された発光パターンで発光することを特徴とする発光制御システム（１）。
【請求項３】
前記発光装置（４）は、自らの位置の変移を検出可能な位置変移検出部（４３）と、自らの速度の変移を検出可能な速度変移検出部（４４）と、の少なくとも一方を更に有しており、
前記発光部（４２）は、前記位置変移検出部（４３）又は前記速度変移検出部（４４）により検出された結果に応じて発光パターンを変更することを特徴とする請求項１又は２に記載の発光制御システム（１）。
【請求項４】
複数の前記発光装置（４）が存在する場合、前記複数の発光装置（４）のそれぞれにＩＤが付与されており、
前記制御装置（３）は、前記複数の発光装置（４）のＩＤを記憶したＩＤ記憶部（３１）を更に有しており、
前記制御側送信部（３２）は、前記ＩＤ記憶部（３１）に記憶されたＩＤを用いて、各発光装置（４）に対して個別に発光パターンを送信可能であることを特徴とする請求項１又は２に記載の発光制御システム（１）。
【請求項５】
前記発光装置（４）は、自らのＩＤを無線送信可能な発光側送信部（４７）を更に有し、
前記制御装置（３）は、前記発光側送信部（４７）から無線送信されたＩＤを受信可能な制御側受信部（３５）を更に有しており、
前記制御側受信部（３５）が複数の前記発光装置（４）から前記ＩＤを受信した場合、前記制御側送信部（３２）は、前記ＩＤを用いて各発光装置（４）に対して個別に発光パターンを送信可能であることを特徴とする請求項１又は２に記載の発光制御システム（１）。
【請求項６】
前記発光装置（４）は、自らの位置を検出可能な位置検出部（４８）を更に有し、
前記発光側送信部（４７）は、前記位置検出部（４８）により検出された位置情報を前記制御側受信部（３５）に無線送信可能であり、
前記制御側受信部（３５）が複数の前記発光装置（４）から前記位置情報を受信した場合、前記制御側送信部（３２）は、前記複数の発光装置（４）の位置情報及びＩＤに基づき、各発光装置（４）に対して個別に制御信号を送信可能であることを特徴とする請求項５に記載の発光制御システム（１）。
【請求項７】
前記ダウンロード型のアプリケーションソフトウェア（２１）がインストールされ、前記インストールされたアプリケーションソフトウェア（２１）により作成された発光パターンを無線送信可能な携帯側送信部（２２）を有する携帯情報端末（２）を更に備え、
前記制御装置（３）は、前記携帯情報端末（２）により作成された発光パターンを受信可能な第２の制御側受信部（３５）を更に有しており、
前記制御側送信部（３２）は、前記第２の制御側受信部（３５）により受信された発光パターンを前記発光装置（４）に無線送信することを特徴とする請求項１又は２に記載の発光制御システム（１）。
【請求項８】
前記制御装置（３）は、前記アプリケーションソフトウェア（２１）をインストール可能な携帯情報端末（２）であることを特徴とする請求項１又は２に記載の発光制御システム（１）。
【発明の詳細な説明】
【技術分野】
【０００１】
本発明は、ペンライト等の発光装置の発光を制御するための発光制御システムに関する。
【背景技術】
【０００２】
従来より、ライブ会場等で使用されるペンライトの発光を無線信号により制御する技術が提案されている。（例えば、特許文献１参照）。
【先行技術文献】
【特許文献】
【０００３】
【特許文献１】特開２０１３−１９１３５７号公報
【発明の概要】
【発明が解決しようとする課題】
【０００４】
ところで、上記技術では、ペンライトの発光パターンは、ライブ等の主催者側が決定するものであり、観客側がその決定に参加することはできない。
【０００５】
そこで、本発明は、ペンライト等の発光装置の発光パターンの決定に観客も参加することが可能な発光制御システムを提供することを目的としている。
【課題を解決するための手段】
【０００６】
上記課題を解決するために、本発明は、所定の楽曲に対応した発光パターンを作成するためのダウンロード型のアプリケーションソフトウェア（２１）により作成された発光パターンを無線送信可能な制御側送信部（３２）を有する制御装置（３）と、前記制御側送信部（３２）により無線送信された発光パターンを受信可能な発光側受信部（４１）と、前記発光側受信部（４１）により受信された発光パターンで発光する発光部（４２）と、を有する発光装置（４）と、を備えたことを特徴とする発光制御システム（１）を提供している。
【０００７】
このような構成によれば、観客が、ダウンロード型のアプリケーションソフトウェアを用いて、ライブ等で使用される発光装置の発光パターンを作成することができるので、観客が発光パターンの決定に参加することが可能となる。
【０００８】
また、前記発光装置（４）は、自らの位置の変移を検出可能な位置変移検出部（４３）と、自らの速度の変移を検出可能な速度変移検出部（４４）と、の少なくとも一方を更に有しており、前記発光部（４２）は、前記位置変移検出部（４３）又は前記速度変移検出部（４４）により検出された結果に応じて発光パターンを変更するが好ましい。
【０００９】
このような構成によれば、観客の身振りや手振り等に応じて発光装置の発光パターンを変更することができるので、観客が発光パターンの決定により積極的に参加することが可能となる。
【００１０】
また、所定の音声の検出を指示するための指示信号を無線送信可能な指示信号送信装置（５）を更に備え、前記制御装置（３）は、前記指示信号を受信可能な第１の制御側受信部（３３）と、前記所定の音声に対応した発光パターンを記憶した制御側記憶部（３１）と、前記所定の音声を検出可能な制御側音声検出部（３４）と、を更に有しており、前記第１の制御側受信部（３３）が前記指示信号を受信してから所定時間内に前記制御側音声検出部（３４）が前記所定の音声を検出した場合に、前記制御側送信部（３２）は、前記制御側記憶部（３１）に記憶された発光パターンを前記発光側受信部（４１）に無線送信することが好ましい。
【００１１】
このような構成によれば、演者が発する音声に応じて発光装置の発光パターンを変更することができるので、ライブ等における演出を多彩なものにすることが可能となる。
【００１２】
また、前記制御側送信部（３２）は、所定の音声の検出を指示するための指示信号を前記発光側受信部（４１）に無線送信可能であり、前記発光装置（４）は、前記所定の音声に対応した発光パターンを記憶した発光側記憶部（４５）と、前記所定の音声を検出可能な発光側音声検出部（４６）と、を更に有しており、前記発光側受信部（４１）が前記指示信号を受信してから所定時間内に前記発光側音声検出部（４６）が前記所定の音声を検出した場合に、前記発光部（４２）は、前記発光側記憶部（４５）に記憶された発光パターンで発光することが好ましい。
【００１３】
このような構成によれば、演者が発する音声に応じて発光装置の発光パターンを変更することができるので、ライブ等における演出を多彩なものにすることが可能となる。
【００１４】
また、複数の前記発光装置（４）が存在する場合、前記複数の発光装置（４）のそれぞれにＩＤが付与されており、前記制御装置（４）は、前記複数の発光装置（４）のＩＤを記憶したＩＤ記憶部（３１）を更に有しており、前記制御側送信部（３２）は、前記ＩＤ記憶部（３１）に記憶されたＩＤを用いて、各発光装置（４）に対して個別に発光パターンを送信可能であることが好ましい。
【００１５】
このような構成によれば、複数の発光装置の発光パターンを発光装置ごとに制御することが可能となる。
【００１６】
また、前記発光装置（４）は、自らのＩＤを無線送信可能な発光側送信部（４７）を更に有し、前記制御装置（３）は、前記発光側送信部（４７）から無線送信されたＩＤを受信可能な制御側受信部（３５）を更に有しており、前記制御側受信部（３５）が複数の前記発光装置（４）から前記ＩＤを受信した場合、前記制御側送信部（３２）は、前記ＩＤを用いて各発光装置（４）に対して個別に発光パターンを送信可能であることが好ましい。
【００１７】
このような構成によれば、複数の発光装置の発光パターンを発光装置ごとに制御することが可能となる。
【００１８】
また、前記発光装置（４）は、自らの位置を検出可能な位置検出部（４８）を更に有し、前記発光側送信部（４７）は、前記位置検出部（４８）により検出された位置情報を前記制御側受信部（３５）に無線送信可能であり、前記制御側受信部（３５）が複数の前記発光装置（４）から前記位置情報を受信した場合、前記制御側送信部（３２）は、前記複数の発光装置（４）の位置情報及びＩＤに基づき、各発光装置（４）に対して個別に制御信号を送信可能であることが好ましい。
【００１９】
このような構成によれば、観客の位置に応じて発光装置の発光パターンを異ならせることが可能となる。
【００２０】
また、前記ダウンロード型のアプリケーションソフトウェア（２１）がインストールされ、前記インストールされたアプリケーションソフトウェア（２１）により作成された発光パターンを無線送信可能な携帯側送信部（２２）を有する携帯情報端末（２）を更に備え、前記制御装置（３）は、前記携帯情報端末（２）により作成された発光パターンを受信可能な第２の制御側受信部（３５）を更に有しており、前記制御側送信部（３２）は、前記第２の制御側受信部（３５）により受信された発光パターンを前記発光装置（４）に無線送信することが好ましい。
【００２１】
このような構成によれば、携帯情報端末による簡易な操作により、発光パターンを作成することが可能となる。
【００２２】
前記制御装置（３）は、前記アプリケーションソフトウェア（２１）をインストール可能な携帯情報端末（２）であることが好ましい。
【００２３】
このような構成によれば、携帯情報端末が制御装置を兼ね備えることとなるので、簡易な構成で発光パターンを作成することが可能となる。
【発明の効果】
【００２４】
本発明の発光制御システムによれば、ペンライト等の発光装置の発光パターンの決定に観客も参加することが可能となる。
【図面の簡単な説明】
【００２５】
【図１】本発明の第１の実施の形態による発光制御システムのブロック図
【図２】本発明の第１の実施の形態による発光制御システムのフローチャート
【図３】本発明の第２の実施の形態による発光制御システムのブロック図
【図４】本発明の第３の実施の形態による発光制御システムのブロック図
【図５】本発明の第４の実施の形態による発光制御システムのブロック図
【図６】本発明の第６の実施の形態による発光制御システムのブロック図
【発明を実施するための形態】
【００２６】
以下、本発明の第１の実施の形態による発光制御システム１について、図１及び図２を参照して説明する。本実施の形態では、発光制御システム１は、主催者が開催し、複数の観客が参加し、演者が演じるライブにおいて使用されるものとする。なお、本実施の形態で述べる“無線”とは、ライブが行われる会場内で送受信可能な程度のものであれば良い。
【００２７】
図１に示すように、発光制御システム１は、スマートフォン２と、制御装置３と、ペンライト４と、を備えている。スマートフォン２及びペンライト４は、複数の観客がそれぞれ所持するものであり、制御装置３は、主催者が所持するものである。なお、スマートフォン２、制御装置３、及び、ペンライト４が、本発明の携帯情報端末、制御装置、及び、発光装置にそれぞれ相当する。
【００２８】
スマートフォン２には、ライブで演奏される楽曲に対応したペンライト４の発光パターンを作成可能なダウンロード型のアプリケーションソフトウェア２１がインストールされている。
【００２９】
また、スマートフォン２は、アプリケーションソフトウェア２１により作成された発光パターンを送信可能な携帯側送信部２２を備えており、スマートフォン２の図示せぬ送信ボタンが押下されることで、作成された発光パターンは、携帯側送信部２２から主催者へ無線又は有線により送信される。
【００３０】
制御装置３は、携帯側送信部２２から送信された発光パターンを記憶可能な制御側記憶部３１と、記憶された発光パターンを無線送信可能な制御側送信部３２と、を備えている。なお、携帯側送信部２２から送信された発光パターンは、制御装置３又は主催者が有する制御装置３以外の装置で受信された上で、制御側記憶部３１に記憶される。
【００３１】
制御装置３の図示せぬ送信ボタンが押下されることで、制御側記憶部３１に記憶された発光パターンは、制御側送信部３２からペンライト４へ無線送信される。
【００３２】
ペンライト４は、制御側送信部３２から無線送信された発光パターンを受信可能な発光側受信部４１と、発光可能な発光部４２と、を備えている。発光部４２は、ＲＧＢのＬＥＤ等から構成されており、発光側受信部４１により受信された発光パターンに応じた発光色及び発光タイミングで発光が可能である。
【００３３】
続いて、図２を用いて、上記で説明した発光制御システム１のライブにおける使用例について説明する。
【００３４】
まず、ライブの前段階で、主催者が、ホームページ等にアプリケーションソフトウェア２１をダウンロード可能に提供する（Ｓ１）。アプリケーションソフトウェア２１は、ライブで演じられる楽曲に対応したペンライト４の発光パターンを作成するためのものである。
【００３５】
続いて、ライブへの参加予定者（観客）が、アプリケーションソフトウェア２１を各自のスマートフォン２にダウンロードし（Ｓ２）、楽曲に対応したペンライト４の発光パターンを作成した上で（Ｓ３）、携帯側送信部２２から主催者へ送信する（Ｓ４）。
【００３６】
続いて、主催者は、複数の参加予定者から送信された発光パターンの中で、ライブで用いるものを決定し（Ｓ５）、制御装置３の制御側記憶部３１に記憶させる（Ｓ６）。
【００３７】
そして、実際のライブにおいて、楽曲の開始と同時に、制御側記憶部３１に記憶された発光パターンを複数のペンライト４に無線送信し、複数のペンライト４を発光させる（Ｓ７）。
【００３８】
以上説明したように、本実施の形態による発光制御システム１では、観客が、ダウンロード型のアプリケーションソフトウェア２１を用いて、ライブで使用されるペンライト４の発光パターンを作成することができるので、観客が発光パターンの決定に参加することが可能となる。また、ペンライト４の発光パターンとして、観客が作成したものを用いることができるので、主催者が発光パターンを作成する労力も軽減される。
【００３９】
続いて、図３を用いて、本発明の第２の実施の形態について説明する。
【００４０】
図３に示すように、本実施の形態では、ペンライト４が、自らの位置の変移を検出可能な位置変移検出部４３と、自らの速度の変移を検出可能な速度変移検出部４４と、を更に備えており、発光部４２は、位置変移検出部４３及び速度変移検出部４４により検出された結果に応じて発光パターンを変更する。
【００４１】
例えば、ペンライト４を持った腕が大きく回された場合に発光パターンを変更させるには、位置検出部４３の検出結果を用いればよい。また、ペンライトを持った腕が素早く振られた場合に発光パターンを変更させるには、速度変移検出部４４の検出結果を用いればよい。
【００４２】
このような構成によれば、観客の身振りや手振り等に応じてペンライト４の発光パターンを変更することができるので、観客が発光パターンの決定により積極的に参加することが可能となる。
【００４３】
続いて、図４を用いて、本発明の第３の実施の形態について説明する。
【００４４】
図４に示すように、本実施の形態では、演者が、所定の音声の検出を指示するための指示信号を無線送信可能な指示信号送信装置５を所持している。
【００４５】
指示信号送信装置５の図示せぬ送信ボタンが押下されることで、指示信号が指示信号送信装置５から制御装置３に無線送信される。
【００４６】
制御装置３は、指示信号を受信可能な第１の制御側受信部３３と、所定の音声を検出可能な制御側音声検出部３４と、を更に備えており、制御側記憶部３１には、所定の音声に対応した発光パターンが記憶されている。
【００４７】
第１の制御側受信部３３が指示信号を受信してから所定時間内に制御側音声検出部３４が所定の音声を検出した場合に、制御側送信部３２は、制御側記憶部３１に記憶された所定の音声に対応した発光パターンを発光側受信部４１に無線送信する。所定の音声としては、例えば、演者による「みんな、元気〜！」等の掛け声が考えられる。
【００４８】
このような構成によれば、演者が発する音声に応じてペンライト４の発光パターンを変更することができるので、ライブにおける演出を多彩なものにすることが可能となる。
【００４９】
続いて、図５を知いて、本発明の第４の実施の形態について説明する。
【００５０】
本実施の形態では、制御側送信部３２は、所定の音声の検出を指示するための指示信号を発光側受信部４１に無線送信可能である。
【００５１】
また、図５に示すように、ペンライト４は、前記所定の音声に対応した発光パターンを記憶した発光側記憶部４５と、前記所定の音声を検出可能な発光側音声検出部４６と、を更に備えている。
【００５２】
発光側受信部４１が指示信号を受信してから所定時間内に発光側音声検出部４６が所定の音声を検出した場合に、発光部４２は、発光側記憶部４５に記憶された発光パターンで発光する。
【００５３】
このような構成によれば、本発明の第３の実施の形態と同様に、演者が発する音声に応じてペンライト４の発光パターンを変更することができるので、ライブにおける演出を多彩なものにすることが可能となる。
【００５４】
続いて、本発明の第５の実施の形態について説明する。
【００５５】
本実施の形態では、複数のペンライト４のそれぞれにＩＤが付与されており、制御側記憶部（ＩＤ記憶部）３１には、複数のペンライト４のＩＤが記憶されている。そして、制御側送信部３２は、制御側記憶部（ＩＤ記憶部）３１に記憶されたＩＤを用いて、各ペンライト４に対して個別に発光パターンを送信可能である。詳細には、ＩＤごとに無線の周波数を設定し、当該周波数を用いることで、個別に発光パターンを送信する。
【００５６】
このような構成によれば、複数のペンライト４の発光パターンをペンライト４ごとに制御することが可能となる。ペンライト４ごとの例としては、複数のペンライト４をランダムに発光させたり、また、ＩＤと会員番号とを連動させておき、会員番号ごとに異なる発光を行わせること等が考えられる。
【００５７】
続いて、図６を用いて、本発明の第６の実施の形態について説明する。
【００５８】
図６に示すように、本実施の形態では、ペンライト４は、自らのＩＤを無線送信可能な発光側送信部４７を更に備えている。
【００５９】
また、制御装置３は、発光側送信部４７により無線送信されたＩＤを受信可能な第２の制御側受信部３５を更に備えている。
【００６０】
第２の制御側受信部３５が複数のペンライト４からＩＤを受信した場合、制御側送信部３２は、当該ＩＤを用いて各ペンライト４に対して個別に発光パターンを送信可能である。
【００６１】
このような構成によれば、本発明の第５の実施の形態と同様に、複数のペンライト４の発光パターンをペンライト４ごとに制御することが可能となる。
【００６２】
また、本実施の形態では、図６に示すように、ペンライト４は、自らの位置を検出可能な位置検出部４８を更に備え、位置検出部４８により検出された位置情報を発光側送信部４７から第２の制御側受信部３５に無線送信することができる。
【００６３】
第２の制御側受信部３５が複数のペンライト４から位置情報を受信した場合、制御側送信部３２は、複数のペンライト４の位置情報及びＩＤに基づき、各ペンライト４に対して個別に制御信号を無線送信することができる。
【００６４】
このような構成によれば、観客の位置に応じてペンライト４の発光パターンを異ならせることが可能となる。
【００６５】
尚、本発明の発光制御システムは、上述した実施の形態に限定されず、特許請求の範囲に記載した範囲で種々の変形や改良が可能である。
【００６６】
例えば、上記実施の形態では、ライブ会場での使用を例としていたため、発光制御システム１は、スマートフォン２、制御装置３、及び、ペンライト４を備えていたが、カラオケ等において個人で使用するような場合には、スマートフォン２が制御装置３の機能を兼ね備えることもできる。
【００６７】
また、上記実施の形態では、本発明の発光装置として、ペンライト４を例に説明したが、発光型のブレスレット等、その他の装置を用いてもよい。
【００６８】
また、上記実施の形態では、スマートフォン２にアプリケーションソフトウェア２１をインストールして発光パターンを作成したが、デスクトップＰＣ等の携帯情報端末以外の装置で発光パターンを作成してもよい。
【符号の説明】
【００６９】
１          発光制御システム
２          スマートフォン
３          制御装置
４          ペンライト
５          指示信号送信装置
２１      アプリケーションソフトウェア
２２      携帯側送信部
２７      発光側送信部
３１      制御側記憶部
３２      制御側送信部
３３      第１の制御側受信部
３４      制御側音声検出部
３５      第２の制御側受信部
４１      発光側受信部
４２      発光部
４３      位置変移検出部
４４      速度変移検出部
４５      発光側記憶部
４６      発光側音声検出部
４７      発光側送信部
４８      位置検出部
【図１】
0006522401.tif 000002
【図２】
0006522401.tif 000003
【図３】
0006522401.tif 000004
【図４】
0006522401.tif 000005
【図５】
0006522401.tif 000006
【図６】
0006522401.tif 000007